(57)【要約】【課題】上部側の横フレーム部と左右の縦フレーム部との接点である角の部分を、角に丸味をつけたコーナーガード板で覆うことによって、極めて稀ではあるが生ずることがある使用者等の負傷を防ぎ、且つまた表示体を取り替えて再び上部側の横フレーム部を左右の縦フレーム部に結合させるときに、手際よくスムーズに行うことができるようにする。【解決手段】上部側の横フレーム部８の左右両端部外面に、先端部を直角に折曲し且つ直角な折曲部分１２ａに丸味をつけたコーナーガード板１２、１２を、下方を向いた先端側部分が左右の縦フレーム部５、５に被さるように取着する。また、コーナーガード板１２は、一枚の帯状弾性材からなり、基部側を一旦上面に重合するように所要の長さに折り返した後再び折り返してループ状ベース部７ａとなし、該ループ状ベース部７ａに紐掛け環７ｂを取り付けることにより紐掛け部７を一体的に形成してなるものである。【選択図】図１ 
0003105069.tif 000002
【実用新案登録請求の範囲】
【請求項１】
アルミニウム等からなる内面に凹溝を有するフレーム材を用いて方形に形成し、透明な前面板及び裏板と、これらの間に挟装する表示体とからなる内容物の周縁部を凹溝に嵌入するようになし、下部側の横フレーム部と、これの両端から夫々直角に折曲した左右の縦フレーム部とをもって正面コ字形になすと共に、該左右の縦フレーム部の上端近傍にロックビスの挿通孔を設ける一方、前記下部側の横フレーム部及び左右の縦フレーム部と別体となし且つ両端近傍に紐掛け部を設けてなる上部側の横フレーム部に、それにおける左右両端部に、前記左右の縦フレーム部の上端側凹溝内面に沿って挿し込む連結板を固着すると共に該連結板にロックビスを螺入するネジ孔を設け、ロックビスをもって前記左右の縦フレーム部に該上部側の横フレーム部を一体的に結合するようになした額縁において、上部側の横フレーム部の左右両端部外面に、先端部を直角に折曲し且つ直角な折曲部分に丸味をつけたコーナーガード板を、下方を向いた先端側部分が左右の縦フレーム部に被さるように取着したことを特徴とする額縁。
【請求項２】
コーナーガード板が、一枚の帯状弾性材からなり、基部側を一旦上面に重合するように所要の長さに折り返した後再び折り返してループ状ベース部となし、該ループ状ベース部に紐掛け環を取り付けることにより紐掛け部を一体的に形成してなるコーナーガード板である請求項１記載の額縁。
【請求項３】
コーナーガード板と弾性材からなるループ状ベース部及び紐掛け環とからなる紐掛け部とを別体とし、コーナーガード板の上面に紐掛け部を載せた状態において上部側の横フレーム部に取着するようになした請求項１記載の額縁。
【考案の詳細な説明】
【技術分野】
【０００１】
本考案は額縁に関するものである。
【背景技術】
【０００２】
図５及び図６には従来の額縁を示しており、該額縁１００は、アルミニウム等からなる内面に凹溝を有するフレーム材を用いて方形に形成し透明な前面板１０１及び裏板１０２と、これらの間に挟装する表示体（図示せず。）とからなる内容物１０３の周縁部を凹溝に嵌入するようになし、下部側の横フレーム部（図示せず。）と、これの両端から夫々直角に折曲した左右の縦フレーム部１０４、１０４とをもって正面コ字形になすと共に、該左右の縦フレーム部１０４、１０４の上端近傍にロックビスの挿通孔１０５、１０５を設ける一方、前記下部側の横フレーム部（図示せず。）及び左右の縦フレーム部１０４、１０４と別体となし且つ両端近傍に紐掛け部１０６、１０６を設けてなる上部側の横フレーム部１０７に、それにおける左右両端部に、前記左右の縦フレーム部１０４、１０４の上端側凹溝内面に沿って挿し込む連結板１０８、１０８を固着すると共に該連結板１０８、１０８にロックビスを螺入するネジ孔１０９、１０９を設け、ロックビス１１０、１１０をもって前記左右の縦フレーム部１０４、１０４に該上部側の横フレーム部を一体的に結合するようになしたものである。
【０００３】
また、斯かる額縁１００は、表示体を取り替えるときにあっては、ロックビス１１０、１１０を抜いた後、上部側の横フレーム部１０７を上側に引き上げて取り外し、その後表示体を取り替えて後、再び上記と逆の手順により組み付けるものである。
【０００４】
ところで、斯かる額縁１００にあっては、上部側の横フレーム部１０７と左右の縦フレーム部１０４、１０４との接点が直角である。そしてまた、材質がアルミニウム等の金属からなるため、この角の部分（図５中Ａ部）が刃物の刃と同様になり、極めて稀ではあるが使用者等を負傷させる虞がある。そしてまた、万が一にも負傷させた場合には、製造者責任法（ＰＬ法）により賠償責任を負わなければならない。
【０００５】
また、斯かる額縁１００にあっては、左右の縦フレーム部１０４、１０４が下部側の横フレーム部の両端から折曲されて立ち上がった状態であるから、図６に示す如く、上端側が若干外側に開き気味になる。このため、表示体を取り替えて再び上部側の横フレーム部１０７を左右の縦フレーム部１０４、１０４に結合させるときに、手際よくスムーズに行うことができないという問題点がある。即ち、このときには、例えば左手で左側の縦フレーム部１０４を内側に押し付け、そしてこの状態において右手で上部側の横フレーム部１０７を押し下げ、そして更に左右どちらか一方の手で上部側の横フレーム部１０７と左側の縦フレーム部１０４とを固定したままもう一方の手でロックビス１１０をねじ回さなければならない。
【考案の開示】
【考案が解決しようとする課題】
【０００６】
本考案は上記の点に鑑みなされたものであって、上部側の横フレーム部と左右の縦フレーム部との接点である角の部分を、角に丸味をつけたコーナーガード板で覆うことによって使用者等の負傷を防ぎ、且つまた表示体を取り替えて再び上部側の横フレーム部を左右の縦フレーム部に結合させるときに、手際よくスムーズに行うことができるようになした額縁を提供せんとするものである。
【課題を解決するための手段】
【０００７】
而して、本考案の要旨とするところは、アルミニウム等からなる内面に凹溝を有するフレーム材を用いて方形に形成し、透明な前面板及び裏板と、これらの間に挟装する表示体とからなる内容物の周縁部を凹溝に嵌入するようになし、下部側の横フレーム部と、これの両端から夫々直角に折曲した左右の縦フレーム部とをもって正面コ字形になすと共に、該左右の縦フレーム部の上端近傍にロックビスの挿通孔を設ける一方、前記下部側の横フレーム部及び左右の縦フレーム部と別体となし且つ両端近傍に紐掛け部を設けてなる上部側の横フレーム部に、それにおける左右両端部に、前記左右の縦フレーム部の上端側凹溝内面に沿って挿し込む連結板を固着すると共に該連結板にロックビスを螺入するネジ孔を設け、ロックビスをもって前記左右の縦フレーム部に該上部側の横フレーム部を一体的に結合するようになした額縁において、上部側の横フレーム部の左右両端部外面に、先端部を直角に折曲し且つ直角な折曲部分に丸味をつけたコーナーガード板を、下方を向いた先端側部分が左右の縦フレーム部に被さるように取着したことを特徴とする額縁にある。
【０００８】
また、上記構成において、コーナーガード板は、一枚の帯状弾性材からなり、基部側を一旦上面に重合するように所要の長さに折り返した後再び折り返してループ状ベース部となし、該ループ状ベース部に紐掛け環を取り付けることにより紐掛け部を一体的に形成してなるコーナーガード板としてもよい。
【０００９】
また、上記構成において、コーナーガード板と弾性材からなるループ状ベース部及び紐掛け環とからなる紐掛け部とを別体とし、コーナーガード板の上面に紐掛け部を載せた状態において上部側の横フレーム部に取着するようになしてもよい。
【考案の効果】
【００１０】
本考案は上記の如き構成であり、上部側の横フレーム部と左右の縦フレーム部との接点である角の部分を、角に丸味をつけたコーナーガード板で覆うものであるから、この部分によって稀に発生する虞のある使用者等の負傷を防ぐことができるものである。且つまた表示体を取り替えて再び上部側の横フレーム部を左右の縦フレーム部に結合させるときに、コーナーガード板における直角に折れ曲がって下方に延びた部分がフックとなって左右の縦フレーム部の上端に掛かり、もって左右の縦フレーム部と上部側の横フレーム部との突き合わさった状態の位置関係が保持されることになる。これにより両手が自由に使える状態となって、ロックビスを楽にねじ回すことができるようになるものである。
【考案を実施するための最良の形態】
【００１１】
本考案を実施するための最良の形態は、上部側の横フレーム部の左右両端部外面に、先端部を直角に折曲し且つ直角な折曲部分に丸味をつけたコーナーガード板を、下方を向いた先端側部分が左右の縦フレーム部に被さるように取着したことにある。
【実施例１】
【００１２】
以下、本考案の実施例について図面を参照しつつ説明する。
図１は本考案の実施例１の要部の斜視図、図２は要部の断面図、図３は吊り下げ時の状態における要部の断面図である。
【００１３】
図中、１は額縁である。また、該額縁１は、アルミニウム等からなる内面に凹溝を有するフレーム材を用いて方形に形成し、透明な前面板２及び裏板３と、これらの間に挟装する表示体（図示せず。）とからなる内容物４の周縁部を凹溝に嵌入するようになし、下部側の横フレーム部（図示せず。）と、これの両端から夫々直角に折曲した左右の縦フレーム部５、５とをもって正面コ字形になすと共に、該左右の縦フレーム部５、５の上端近傍にロックビスの挿通孔６、６を設ける一方、前記下部側の横フレーム部（図示せず。）及び左右の縦フレーム部５、５と別体となし且つ両端近傍に紐掛け部７、７を設けてなる上部側の横フレーム部８に、それにおける左右両端部に、前記左右の縦フレーム部５、５の上端側凹溝内面に沿って挿し込む連結板９、９を固着すると共に該連結板９、９にロックビスを螺入するネジ孔１０、１０を設け、ロックビス１１、１１をもって前記左右の縦フレーム部５、５に該上部側の横フレーム部８を一体的に結合するようになしている。
【００１４】
そしてまた、該額縁１は、上部側の横フレーム部８の左右両端部外面に、先端部を直角に折曲し且つ直角な折曲部分１２ａに丸味をつけたコーナーガード板１２、１２を、下方を向いた先端側部分が左右の縦フレーム部５、５に被さるように取着している。
【００１５】
また、本実施例におけるコーナーガード板１２は、一枚の帯状弾性材からなり、基部側を一旦上面に重合するように所要の長さに折り返した後再び折り返してループ状ベース部７ａとなし、該ループ状ベース部７ａに紐掛け環７ｂを取り付けることにより紐掛け部７を一体的に形成してなるものである。そしてまた、これを上部側の横フレーム部８及び連結板９とにかしめて固定するものである。
【００１６】
また、本実施例の場合にあっては、額縁を吊り下げたときにおいて負荷がかかっても、図３に示す如く、紐掛け部７におけるループ状ベース部７ａが弾性により変形することにより、コーナーガード板１２の先端側の浮き上がりは防止されるものである。
【実施例２】
【００１７】
次に、図４に示した本考案の実施例２について説明する。
本実施例と前記実施例１とは、コーナーガード板の構成の相違にある。即ち、前記実施例１においてはコーナーガード板に紐掛け部を一体的に形成しているが、これに対して本実施例においては、コーナーガード板１３と弾性材からなるループ状ベース部１４ａ及び紐掛け環１４ｂとからなる紐掛け部１４とを別体とし、コーナーガード板１３の上面に紐掛け部１４を載せた状態において上部側の横フレーム部８に取着するようになしたことにある。尚、その他の構成については前記実施例１と同様であるから、詳細な説明は省略する。
【図面の簡単な説明】
【００１８】
【図１】本考案の実施例１の要部の斜視図である。
【図２】本考案の実施例１の要部の断面図である。
【図３】本考案の実施例１の吊り下げ時の状態における要部の断面図である。
【図４】本考案の実施例２の説明図である。
【図５】従来品の部分斜視図である。
【図６】従来品の表示体取り替え時の状態の部分斜視図である。
【符号の説明】
【００１９】
１  額縁
４  内容物
５、５  左右の縦フレーム部
６  ロックビスの挿通孔
７  紐掛け部
７ａ  ループ状ベース部
７ｂ  紐掛け環
８  上部側の横フレーム部
９  連結板
１０  ネジ孔
１１  ロックビス
１２  コーナーガード板
１３  コーナーガード板
１４  紐掛け部
１４ａ  ループ状ベース部
１４ｂ  紐掛け環
【図１】
0003105069.tif 000003
【図２】
0003105069.tif 000004
【図３】
0003105069.tif 000005
【図４】
0003105069.tif 000006
【図５】
0003105069.tif 000007
【図６】
0003105069.tif 000008